(57)【要約】【課題】道路沿い・公園・病院・官公庁・工場等で敷地内を舗装する一方、多くの樹木を植えたり芝などを張り緑化を行なっているが、落葉等塵芥の収集処理も環境上の重要な行為の一つである。落葉等の塵芥は樹木の下には勿論、広い範囲に拡散したり風等で狭い場所に溜まる場合もあり大形の機械による収集は一部に限られるので、経済的で手軽に使えしかも作業効率向上を計った小形の塵芥収集機を提供する。【解決手段】進行方向に対し横設接地するアップカット回転即ち、接地点で進行方向と同じ方向に回転する主ロータ４７と、この前方に、接地し塵芥を中央に寄せるよう回転する前処理体５７を近接配置し、両者の近接部付近に吸引口６６を設けた収集装置４を、農業機械の管理機等の走行車体２前方に装着した構成の塵芥収集機。【選択図】　図１
2004019316.tif 000002
【特許請求の範囲】
【請求項１】
走行車体２に塵芥の収集装置４と収納装置７を装着した塵芥収集機において、進行方向に対し横設接地するアップカット回転の主ロータ４７と、接地し回転する前処理体５７を主ロータ４７の前方に近接配置し、且つ両者の近接部付近に吸引口６６を配置して収集装置４を構成した事を特徴とする塵芥収集機。
【請求項２】
走行車体２に塵芥の収集装置４と収納装置７を装着した塵芥収集機において、進行方向に対し横設接地するアップカット回転の主ロータ４７と、接地し水平方向に回動可能で中央又は後方に向かい跳ね上げ回転する前処理体５７を主ロータ４７の前方に近接配置し、且つ両者の近接部付近に吸引口６６を配置して収集装置４を構成した事を特徴とする塵芥収集機。
【請求項３】
走行車体２に塵芥の収集装置４と収納装置７を装着した塵芥収集機において、進行方向に対し横設接地するアップカット回転の主ロータ４７と、主ロータ４７と平行で接地しダウンカット回転の前処理体８３を主ロータ４７の前方に近接配置し、且つ両者の近接部付近に吸引口６６を配置して収集装置４を構成した事を特徴とする塵芥収集機。
【請求項４】
吸引し排風搬送するファンケース部６０を主ロータ４７の上部に配置した事を特徴とする請求項１、２、３記載の塵芥収集機。
【発明の詳細な説明】
【０００１】
【発明の属する技術分野】
本発明は、地表等に散乱する落葉等の塵芥を効率的に地表より拾い上げ収納する塵芥収集機に関する。
【０００２】
【従来の技術】
地表等に散乱する落葉等の塵芥の収集は、風等により塵芥が多様な地表に拡散しているので路上や樹木の下は勿論、構造物の隅や狭い吹き溜り場所でも作業が行なえ、又、地表に付着した離れにくい塵芥も確実に拾い上げ更に、小石等塵芥以外の物とは分離し収集する必要がある。
これ等を機械により収集する方法として
１）負圧状態の吸引口を地表に近接し塵芥を吸引処理する方法を織り込んだ収集機、例えば、実開昭５６−９１７１６、特開平６−２００５０７号
２）地表に接し跳ね上げ回転する装置を通風口の後方又は前方に設け、跳ね上げた塵芥を排風又は吸引により処理する方法を織り込んだ収集機、例えば、特開平９−１５１４３０、特開平９−１９２４３３号
等が公知としてある。
【０００３】
【発明が解決しようとする課題】
前記公知技術を織り込んだ塵芥収集機の前者では、吸引口の地表高さが塵芥を吸引する力に大きな影響を及ぼすので、地表の凹凸や段差および落葉・紙等地表に付着した離れにくい塵芥に対応するため強力な吸引風を必要とし、小石等塵芥以外の物も吸引しやすく、更に、風路や収納部では強力な排風による粉塵対策が必要となる問題が生じる。
後者の特開平９−１５１４３０では、塵芥の取込み口に接地するゴム板等を配置しているので充分な取込み口の確保が困難であり又、前方への噴き出しや送風により塵芥を地表に吹きつけて搬送効率を低下する懸念が生じ、特開平９−１９２４３３では、吸引口の面積が大きくなり多量の風が必要となる。
また、両者とも作業能率向上のため機体の作業幅を広げると、地表の段差凹凸による塵芥取込み能力低下や、構造物の隅や狭い吹き溜り場所での作業ができない等の問題が生じる。
【０００４】
【課題を解決するための手段】
本発明の解決しようとする課題は以上の如くであり、次にこの課題を解決するための技術的手段を説明する。
即ち、請求項１においては、走行車体２に塵芥の収集装置４と収納装置７を装着した塵芥収集機において、進行方向に対し横設接地するアップカット回転の主ロータ４７と、接地し回転する前処理体５７を主ロータ４７前方に近接配置し、且つ両者の近接部付近に吸引口６６を配置して収集装置４を構成した事を手段として用いた。
【０００５】
また、請求項２においては、走行車体２に塵芥の収集装置４と収納装置７を装着した塵芥収集機において、進行方向に対し横設接地するアップカット回転の主ロータ４７と、接地し水平方向に回動可能で中央又は後方に向かい跳ね上げ回転する前処理体５７を主ロータ４７の前方に近接配置し、且つ両者の近接部付近に吸引口６６を配置して収集装置４を構成した事を手段として用いた。
【０００６】
また、請求項３においては、走行車体２に塵芥の収集装置４と収納装置７を装着した塵芥収集機において、進行方向に対し横設接地するアップカット回転の主ロータ４７と、主ロータ４７と平行で接地しダウンカット回転の前処理体８３を主ロータ４７の前方に近接配置し、且つ両者の近接部付近に吸引口６６を配置して収集装置４を構成した事を手段として用いた。
また、請求項４においては、吸引し排風搬送するファンケース部６０を主ロータ４７の上部に配置した事を手段として用いた。
【０００７】
【発明の実施の形態】
次に、本発明の実施の形態を添付の図面を用いて説明する。
図１は本発明を織り込んだ塵芥収集機の一部断面を施した全体側面図、図２は同じく全体平面図、図３は前処理部の部分断面図、図４は別の実施例の前処理部側面図、図５は同じく一部断面を施した平面図、図６は別の実施例の複軸式収集装置の側面図、図７は同じく平面図である。
【０００８】
まず、本発明を織り込んだ塵芥収集機の全体の構成を図１、図２、図３を用いて説明する。
塵芥収集機の全体は、エンジン１０を装備した走行車体２と、その前方に装着した収集装置４及び収納装置７で構成し、更に収集装置４は主ロータ部４０・前処理部５０・ファンケース部６０を配置し構成している。
【０００９】
本発明を実施した塵芥収集機の動きを説明すると、走行車体２は、市場に普及している農業用一輪又は二輪管理機等作業機取付方式の機械を使用しており、エンジン１０を回転し、ミッションケース１１上部より後方に延出した変速レバー２７操作で移動速度を選定、ハンドル２１に配置した走行クラッチレバー２５操作で機体の発進停止及びミッションケース１１左側面に延出するＰＴＯ軸１６の回転を断続し、サイドクラッチレバー２２Ｌ・２２Ｒ操作で車輪３１Ｌ・３１Ｒへの動力を断続し機体の旋回や方向修正を行なう等、一般的な操作操縦できめ細かな動きを得ることができる。
【００１０】
また、走行車体２の前部に設けた作業機取付金１２に固着した収集装置４は、ハンドル２１に配置した作業クラッチレバー２６の操作でＰＴＯ軸１６より作業機入力軸４２へ作業ベルト１９の緊弛により動力の断続を行ない、伝動具を介し収集装置４の各部に所定の回転を伝え、進行方向に対し横設接地するアップカット回転の主ロータ４７と、この前方に近接配置した接地し軸芯方向を水平に回動可能で塵芥を中央に寄せる方向に回転する一対の前処理体５７Ｌ・５７Ｒとにより、塵芥を主ロータ４７の前方中央付近に集め、この塵芥堆積部上方に配置したファンケース６２に固着した吸引ダクト６５終端の吸引口６６から跳ね上げた塵芥を吸引し、吸引ダクト６５・ファン６３・カッター６４・排出ダクト６７を経由して機体の前方に設けた収納装置７の箱又は袋に塵芥を収集するものである。なお、前処理体５７Ｌ・５７Ｒは、作業路の広狭や構造物の隅の塵芥処理に適するよう固定ボルト５５により軸芯回動角を調節し適する作業幅に変えて使用する。
【００１１】
次に、本発明を織り込んだ収集装置４の構成を詳細に説明する。
主ロータ部４０は、作業機取付金１２に固定座４１ｂ部で座金４１ｃ・４１ｃの挿入位置による上下調節方式でメインボックス４１を係合固定し、メインボックス４１の左側面より水平方向に延出する作業機入力軸４２と、これと平行に伝動具を介して右側面より延出するサイド軸４４とをボックス中央部で軸支すると共に、サイド軸４４と同芯にサイドパイプ４５Ｌ・４５Ｒを左右側面に固着延設し、更にサイドパイプ右４５Ｒ右端に伝動具を内装し下方に延設するサイドケース４６を固着し、又サイドパイプ左４５Ｌ左端に下方に延設するサイド板４８を固着して門形を形成し、それ等の下部に主ロータ４７をサイドケース４６の伝動具を介して横設軸架し、ロータカバー４９をサイドケース４６とサイド板４８に固着し主ロータ４７の一部を覆った構造である。
尚、主ロータ４７の外周面は、接地し適度に撓むブラシ又はゴム等の弾性体で凸部４７ｃ・４７ｃ・・を形成しており、回転により塵芥等を前方及び中央方向に寄せるよう凸部配列を左右の螺旋状に組み合わせて配置してもよい。
【００１２】
主ロータ４７の前方に配置した前処理部５０は、ロータカバー４９の取付座４９ｃＬ・４９ｃＲに、上部に後方向に延出する前処理入力軸５１ｂと左側方に延出する横軸５２と下方に延出する垂直軸５１ｃＲとを連動状態で軸支する前処理ベベルケース５１Ｒ及び、横軸５２と垂直軸５１ｃＬを連動状態で軸支する前処理ベベルケース５１Ｌを締結固定し、夫々の下端部に垂直軸５１ｃＬ・５１ｃＲと連動連結し前処理体軸５４Ｌ・５４Ｒを軸支する前処理体ケース５３Ｌ・５３Ｒを水平方向に回動可能に固定ボルト５５で締結し、更に前処理体軸５４Ｌ・５４Ｒにドラム方式の前処理体５７Ｌ・５７Ｒを前方延設接地状態に取り付けた構造であり、動力伝達は、サイドパイプ右４５Ｒより前方に延出するサイドＰＴＯ軸４４ｃより前処理入力軸５１ｂへ屈折伝動具５９を介して行なう。
尚、前処理体５７Ｌ・５７Ｒの外周面は、接地し適度に撓むブラシ又はゴム等の弾性体で凸部５７ｃＬ・・５７ｃＲ・・を形成しており、回転により塵芥等を中央及び後方向に寄せるよう凸部配列を螺旋状に配置している。
【００１３】
主ロータ４７の上方に配置したファンケース部６０は、メインボックス４１の前面に、進行方向に配置したファン軸６８を軸支するファンケース６２を締結固定すると共に、ファン軸６８へ同軸状に軸着するファン６３及びカッター６４を固着し、ファンケース６２の前面に設けた吸引風路には主ロータ４７と前処理体５７Ｌ・５７Ｒの近接部に吸引口６６を配した吸引ダクト６５を、外周面に設けた排風路には収納装置７へ塵芥を排出する排風ダクト６７を夫々固着した構造であり、動力伝達は作業入力軸４２よりファン軸６８へ伝動具を介して行なう。
また、塵芥の細断部は、ファン軸６８に設けたファン６３の排風側に近接してカッター６４を配置し、カッター６４の先端を適正な間隔で挟む突出形状のカッター受６４ｂをファンケース６２外周面に脱着可能に固着した構造である。
【００１４】
図４、５は別の実施例の前処理部５０を示す側面と平面図で、ロータカバー４９の取付座４９ｃＬ・４９ｃＲに、上部に後方向に延出する前処理入力軸５１ｂと左側方に延出する横軸５２と下方に延出する垂直軸５１ｃＲとを連動状態で軸支する前処理ベベルケース５１Ｒ及び、横軸５２と垂直軸５１ｃＬを連動状態で軸支する前処理ベベルケース５１Ｌを締結固定し、夫々の下端部に垂直軸５１ｃＬ・５１ｃＲと連動連結し前処理体軸５４Ｌ・５４Ｒを軸支する前処理体ケース５３Ｌ・５３Ｒを水平方向に回動可能に固定ボルト５５で締結し、更に前処理体ケース５３Ｌ・５３Ｒに履帯取付金５８Ｌ・５８Ｒを固着し、駆動ローラ５６ａＬ・５６ａＲ・誘導ローラ５６ｂＬ・５６ｂＲに履帯方式の前処理体５７Ｌ・５７Ｒを前方延設接地状態に取り付けた構造である。
尚、前処理体５７Ｌ・５７Ｒの外周面は、接地し適度に撓むブラシ又はゴム等の弾性体で凸部５７ｃＬ・・５７ｃＲ・・を形成しており、回転により塵芥を中央方向に寄せるよう凸部配列を傾斜状に配置してもよい。
【００１５】
図６、７は別の実施例の復軸式収集装置４を示す図で、メインボックス４１に軸支されたサイド軸４４をサイドケース４６の右側面より延出し、その右端部に連動連結し前方に延設する前処理サイドケース８１を上下方向に回動可能に取り付け、又サイド板４８の左側面にサイド軸４４と同芯位置に固着延出した支点軸４８ｂに前方に延設する前処理サイド板８２を上下方向に回動可能に取り付け、それ等の下部にドラム方式の前処理体８３を前処理サイドケース８１に内装する伝動具を介して主ロータ４７と平行近接して回転駆動可能に軸架すると共にロータカバー４９に固着した回動規制具８５Ｌ・８５Ｒにより前処理体８３の揺動範囲を規制した構造である。
尚、前処理体８３の外周面は、接地し適度に撓むブラシ又はゴム等の弾性体で凸部８３ｃ・８３ｃ・・を形成しており、回転により塵芥を中央方向に寄せるよう凸部配列を左右の螺旋状を組み合わせて配置してもよい。
【００１６】
【発明の効果】
本発明は以上のような構成にしたので、次のような効果が得られる。
即ち、請求項１記載のように、走行車体に塵芥の収集装置と収納装置を装着した塵芥収集機において、進行方向に対し横設接地するアップカット回転の主ロータと、接地し回転する前処理体を主ロータの前方に近接配置し、且つ、両者の近接部付近に吸引口を配置して収集装置を構成した事により、主ロータと前処理体の接地部では塵芥に前方向と後方向の両方向から地表より剥離する作用が働き、主ロータと前処理体の接地部から近接部までの外周部では跳ね上げる力に同方向の相乗作用が働き、それを持続し近接部では上向に塵芥を放出するので、ここに吸引口を配置すれば弱い吸引風でも塵芥を確実に吸引できる効果が得られる。
【００１７】
また、請求項２記載のように、走行車体に塵芥の収集装置と収納装置を装着した塵芥収集機において、進行方向に対し横設接地するアップカット回転の主ロータと、接地し水平方向に回動可能で中央又は後方に向かい跳ね上げ回転する前処理体を主ロータの前方に近接配置し、且つ両者の近接部付近に吸引口を配置して収集装置を構成した事により、主ロータと前処理体の接地部では塵芥に前方向と後方向の両方向から地表より剥離する作用が働き、主ロータと前処理体の接地部から近接部までの外周部では跳ね上げる力に同方向の相乗作用が働き、それを持続し近接部では上向に塵芥を放出し、しかも、塵芥を中央付近に寄せるので放出幅も狭く、ここに吸引口を配置すれば弱い吸引風で少ない風量でも塵芥を確実に吸引可能となり、更に、前処理部の回動調節により構造物の隅の塵芥収集や作業路の広狭に適応した収集作業が行なえる効果が得られる。
【００１８】
また、請求項３記載のように、走行車体に塵芥の収集装置と収納装置を装着した塵芥収集機において、進行方向に対し横設接地するアップカット回転の主ロータと、主ロータと平行で接地しダウンカット回転の前処理体を主ロータの前方に近接配置し、且つ両者の近接部付近に吸引口を配置して収集装置を構成した事により、主ロータと前処理体の接地部では塵芥に前方向と後方向の両方向から地表より剥離する作用が働き、主ロータと前処理体の接地部から近接部までの外周部では跳ね上げる力に同方向の相乗作用がより働き、それを持続し近接部では上向に塵芥を挟持状態で放出し、更に、接地する凸部の配列を塵芥を中央付近に寄せる配置にすると放出幅も狭くなり、ここに吸引口を配置すれば弱い吸引風で少ない風量でも塵芥をより確実に吸引する効果が得られる。
【００１９】
また、請求項４記載のように、走行車体に塵芥の収集装置と収納装置を装着した塵芥収集機において、吸引し排風搬送するファンケース部を主ロータ上部に配置した事により、ファンの振動は主ロータの接地部へ伝わり塵芥の剥離を促し吸収されるのでハンドルへは伝わらず、しかも機体の全長を短く全幅を狭く前後バランスのとれた取扱容易な小形の収集機として纏められ、更に、吸引ダクトが短く吸引口を適切な位置に配置し単純形状の短く堅牢な吸引ダクトに構成することができる効果が得られる。
【００２０】
これ等の効果を織り込むことにより、塵芥収集路の凹凸広狭に対する適応性を拡大し、地表より塵芥をより確実に拾い上げ粉塵発生を抑えて収集し、機体を一般的な操作で隅々まできめ細かく操縦できるので、屋外で落葉などの収集に適する塵芥収穫機を供給することが可能となった。
【図面の簡単な説明】
【図１】本発明を織り込んだ塵芥収集機の一部断面を施した全体側面図である。
【図２】同じく全体平面図である。
【図３】前処理部の部分断面図である。
【図４】本発明を織り込んだ別の実施例の前処理部の側面図である。
【図５】同じく一部断面を施した平面図である。
【図６】本発明を織り込んだ別の実施例の複軸式収集装置の側面図である。
【図７】同じく平面図である。
【符号の説明】
２　　　走行車体
４　　　収集装置
７　　　収納装置
４０　　主ロータ部
５０　　前処理部
６０　　ファンケース部
弧矢印　回転方向を示す
Ａ−Ａ　断面位置
【図１】
2004019316.tif 000003
【図２】
2004019316.tif 000004
【図３】
2004019316.tif 000005
【図４】
2004019316.tif 000006
【図５】
2004019316.tif 000007
【図６】
2004019316.tif 000008
【図７】
2004019316.tif 000009